(57)【要約】【課題】画像処理の負担が軽く、より簡易に最適な３Ｄ映像をユーザが見ることができるようにする。【解決手段】パーソナルコンピュータ１０は、ＬＣＤ１７と、ＬＣＤ１７に正対する方向の画像を撮影するカメラ２１を有する。ＣＰＵ１１１は、位置調整プログラム１１２ｃを実行して、３Ｄ映像コンテンツの再生中に、カメラ２１により撮影された画像中の３Ｄメガネの位置を検出し、この検出された位置と予め決められた最適位置（基準位置）との相対関係を判別し、この相対関係に応じたメッセージをＬＣＤ１７において表示させる。【選択図】図１
2011133832.tif 000002
【特許請求の範囲】
【請求項１】
ディスプレイと、
前記ディスプレイに正対する方向の画像を撮影するカメラと、
前記画像中のメガネの位置を検出する検出手段と、
前記検出手段により検出された位置と、予め決められた基準位置との相対関係を判別する判別手段と、
前記相対関係に応じたメッセージを前記ディスプレイにおいて表示するメッセージ表示手段と
を具備したことを特徴とする映像表示装置。
【請求項２】
映像を前記ディスプレイにおいて表示させる映像表示手段をさらに具備し、
前記メッセージ表示手段は、前記映像表示手段によって映像が表示されている間に前記メッセージを表示することを特徴とする請求項１記載の映像表示装置。
【請求項３】
前記判別手段は、前記画像中のメガネの傾きを検出し、
前記メッセージ表示手段は、前記傾きに応じたメッセージを表示することを特徴とする請求項１記載の映像表示装置。
【請求項４】
前記判別手段は、前記検出手段により検出された位置と前記基準位置とが、予め設定された基準距離以上離れているかを判別し、
前記メッセージ表示手段は、前記基準位置以上離れていると判別された場合に、前記メッセージを表示することを特徴とする請求項１記載の映像表示装置。
【請求項５】
前記基準距離をユーザからの指定により設定する基準距離設定手段をさらに具備したことを特徴とする請求項４記載の映像表示装置。
【発明の詳細な説明】
【技術分野】
【０００１】
本発明は、３次元（３Ｄ）映像を表示することができるパーソナルコンピュータやテレビ装置などの映像表示装置に関する。
【背景技術】
【０００２】
従来、眼鏡の傾きに応じた視差画像を表示することによって、より自然な立体像（３Ｄ）を表示する立体画像表示装置が知られている（特許文献１）。特許文献１に記載された立体画像表示装置は、眼鏡の傾きを検出し、この検出結果に応じて視差画像を生成して表示する。従って、鑑賞者が頭を傾けた場合であっても、その動きに応じた適切な視差画像を表示して、より自然な立体像を表示することが可能となる。
【先行技術文献】
【特許文献】
【０００３】
【特許文献１】特開２００６−０８４９６３号公報
【発明の概要】
【発明が解決しようとする課題】
【０００４】
このように従来技術では、眼鏡の傾きを検出して、この傾きに応じた視差画像を生成することで自然な立体像を表示している。このため、映画などの長い動画像を表示する場合においても、その映像を表示している間、継続して眼鏡の傾きを検出して、この傾きに応じた視差画像を生成する画像処理を実行しなければならなかった。すなわち、ユーザに自然な立体画像を見せるために多大な画像処理の負担が必要となっていた。このため、画像処理の負担が軽く、より簡易に最適な３Ｄ映像をユーザが見ることができる映像表示装置が求められていた。
【０００５】
本発明は上述の事情を考慮してなされたものであり、画像処理の負担が軽く、より簡易に最適な３Ｄ映像をユーザが見ることができる映像表示装置を提供することを目的とする。
【課題を解決するための手段】
【０００６】
上述の課題を解決するため、本発明は、ディスプレイと、前記ディスプレイに正対する方向の画像を撮影するカメラと、前記画像中のメガネの位置を検出する検出手段と、前記検出手段により検出された位置と、予め決められた基準位置との相対関係を判別する判別手段と、前記相対関係に応じたメッセージを前記ディスプレイにおいて表示するメッセージ表示手段とを具備したことを特徴とする。
【発明の効果】
【０００７】
本発明によれば、画像処理の負担が軽く、より簡易に最適な３Ｄ映像をユーザが見ることができる。
【図面の簡単な説明】
【０００８】
【図１】本実施形態におけるパーソナルコンピュータのディスプレイユニットを開いた状態における斜視図。
【図２】本実施形態におけるパーソナルコンピュータのシステム構成を示すブロック図。
【図３】本実施形態における３Ｄメガネ登録処理を示すフローチャート。
【図４】本実施形態における３Ｄメガネ登録処理を実行する状況を示す図。
【図５】本実施形態におけるカメラにより撮影された画像中の３Ｄメガネに該当する部分のみを示す図。
【図６】本実施形態における位置調整処理を示すフローチャート。
【図７】本実施形態における３Ｄメガネを含む撮影された画像の一例を示す図。
【図８】本実施形態におけるメッセージ表示の一例を示す図。
【発明を実施するための形態】
【０００９】
以下、図面を参照して、本発明の実施形態を説明する。  
まず、図１および図２を参照して、本実施形態における映像表示装置の構成について説明する。映像表示装置は、例えば、ノートブック型のパーソナルコンピュータ１０により実現されている。なお、パーソナルコンピュータ１０だけでなく、テレビ装置などの他の映像表示装置により実現することができる。
【００１０】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２にはＬＣＤ（Liquid Crystal Display）１７から構成される表示装置が組み込まれており、そのＬＣＤ１７の表示画面はディスプレイユニット１２のほぼ中央に位置されている。ＬＣＤ１７の両側には、スピーカ（ツイータ）２０が配置されている。
【００１１】
ディスプレイユニット１２は、コンピュータ本体１１に対して開放位置と閉塞位置との間を回動自在に取り付けられている。コンピュータ本体１１の上面にはキーボード１３、電源オン／オフするためのパワーボタン１４、タッチパッド１５、オーディオ・ビデオ（ＡＶ）操作パネル１６、ＡＶコントローラ１７、ボリューム制御ダイヤル１８、及びスピーカ１９などが配置されている。また、ディスプレイユニット１２には、開放位置にあるときの上辺部にカラー画像を撮影することが可能なカメラ２１が設けられている。カメラ２１は、ディスプレイユニット１２に正対する方向の画像を撮影するもので、パーソナルコンピュータ１０に表示されている映像を見ているユーザの少なくとも顔を含む範囲を撮影可能とする。すなわち、ディスプレイユニット１２において表示されている３次元（３Ｄ）映像コンテンツを視聴するためにユーザが装着している３Ｄメガネを撮影できるようにする。
【００１２】
次に、図２を参照して、パーソナルコンピュータ１０のシステム構成について説明する。
【００１３】
本コンピュータ１０は、ＣＰＵ１１１、ノースブリッジ１１４、主メモリ１１５、グラフィクスプロセッシングユニット（ＧＰＵ）１１６、サウスブリッジ１１７、ＢＩＯＳ−ＲＯＭ１２０、ハードディスクドライブ（ＨＤＤ）１２１、光ディスクドライブ（ＯＤＤ）１２２、サウンドコントローラ１２３、ＴＶチューナ１２４、ビデオプロセッサ１２５、エンベデッドコントローラ／キーボードコントローラＩＣ（ＥＣ／ＫＢＣ）１４０、及び電源回路１４１等を備えている。
【００１４】
ＣＰＵ１１１は本コンピュータ１０の動作を制御するために設けられたプロセッサであり、ＨＤＤ１２１から主メモリ１１５にロードされる、オペレーティングシステム（ＯＳ）１１２ａ、各種アプリケーションプログラム、ＢＩＯＳ−ＲＯＭ１２０に格納されたＢＩＯＳ（Basic Input Output System）などを実行する。アプリケーションプログラムには、映像再生プログラム１１２ｂ、位置調整プログラム１１２ｃが含まれている。
【００１５】
映像再生プログラム１１２ｂは、例えばハードディスクドライブ（ＨＤＤ）１２１やＤＶＤ（Digital Versatile Disc）などの記録メディアに記録された、３Ｄ映像コンテンツを再生出力することができるアプリケーションである。位置調整プログラム１１２ｃは、映像再生プログラム１１２ｂによって３Ｄ映像が再生出力される場合に、ユーザがディスプレイユニット１２（ＬＣＤ１７）に対して正対する最適な位置で視聴できるように補助するための位置調整処理を実行する。
【００１６】
ノースブリッジ１１４はＣＰＵ１１１のローカルバスとサウスブリッジ１１７との間を接続するブリッジデバイスである。ノースブリッジ１１４には、主メモリ１１５をアクセス制御するメモリコントローラも内蔵されている。また、ノースブリッジ１１４は、PCI Expressバスなどを介してグラフィクスプロセッシングユニット（ＧＰＵ）１１６との通信を実行する機能も有している。
【００１７】
グラフィクスプロセッシングユニット（ＧＰＵ）１１６は、本コンピュータ１０のディスプレイモニタとして使用されるＬＣＤ１７を制御する表示コントローラである。ＧＰＵ１１６は、ＯＳまたはアプリケーションプログラムによってビデオメモリ（ＶＲＡＭ）１１６Ａに書き込まれた表示データから、ＬＣＤ１７に表示すべき画面イメージを形成する映像信号を生成する。
【００１８】
サウスブリッジ１１７は、ＨＤＤ１２１及び光ディスクドライブ（ＯＤＤ）１２２を制御するためのコントローラを内蔵している。
【００１９】
ＨＤＤ１２１は、各種プログラム及びデータを格納する記憶装置である。ＨＤＤ１２１には、例えばＯＳ、各種アプリケーションプログラム、映像コンテンツデータなどが記憶されている。また、ＨＤＤ１２１には、位置調整プログラム１１２ｃによる位置調整処理において、ＬＣＤ１７に表示されるユーザに対するメッセージのデータが記録されている。
【００２０】
光ディスクドライブ（ＯＤＤ）１２２は、映像コンテンツなどが格納されたＤＶＤなどの記録メディアを駆動するためのドライブユニットである。
【００２１】
サウンドコントローラ１２３は、音源デバイスであり、各種オーディオデータに対応する音をスピーカ１９，２０から出力するための処理を実行する。ＴＶチューナ１２４は、ＴＶ放送信号によって放送される放送番組データを受信する。
【００２２】
さらに、サウスブリッジ１１７には、ビデオプロセッサ１２５が接続されている。ビデオプロセッサ１２５は、映像のストリーミング処理や認識処理を行う専用エンジンである。メモリ１２５Ａは、ビデオプロセッサ１２５の作業メモリとして用いられる。
【００２３】
エンベデッドコントローラ／キーボードコントローラＩＣ（ＥＣ／ＫＢＣ）１４０は、電源管理のためのエンベデッドコントローラと、キーボード（ＫＢ）１３、タッチパッド１５、及びＡＶ操作パネル１６を制御するためのキーボードコントローラとが集積された１チップマイクロコンピュータである。
【００２４】
またＥＣ／ＫＢＣ１４０は、ユーザによるパワーボタンスイッチ１４の操作に応じて本コンピュータ１０をパワーオン／パワーオフする機能を有している。本コンピュータ１０のパワーオン／パワーオフの制御は、ＥＣ／ＫＢＣ１４０と電源回路１４１との共同動作によって実行される。電源回路１４１は、コンピュータ本体１１に装着されたバッテリ１４２からの電力、またはコンピュータ本体１１に外部電源として接続されるＡＣアダプタ１４３からの電力を用いて、各コンポーネントへの動作電源を生成する。
【００２５】
次に、本実施形態におけるパーソナルコンピュータ１０の動作について説明する。  
本実施形態におけるパーソナルコンピュータ１０では、例えば時分割表示方式を利用した３Ｄ映像コンテンツを再生表示することができる。３Ｄ映像コンテンツは、ＬＣＤ１７において表示される映像を立体像として認識させるために、右目用の映像と左目用の映像とを交互に表示する。ユーザは、３Ｄ映像視認用のメガネを装着することで、ＬＣＤ１７に表示された映像を３Ｄ映像として認識することができる。本実施形態において用いられる３Ｄ映像視認用のメガネ（以下、単にメガネと称する）は、例えば液晶シャッターメガネとする。このメガネは、３Ｄ映像コンテンツの右目用と左目用の映像の切り替えと同期して、右目側と左目側とが交互に透過状態と非透過状態に切り替えられる。これにより、ユーザは、右目により右目用の映像を視認し、左目により左目用の映像を視認して、映像を立体として認識することができる。
【００２６】
液晶シャッターメガネを利用する場合、ユーザは、ディスプレイの中心近傍に正対する位置から映像を見ることにより最適な状態の３Ｄ映像を認識できる。従って、ディスプレイの中心近傍に正対する位置から上下方向あるいは左右方向にずれた位置で映像を見ていると、本来の３Ｄ映像を楽しめなくなってしまう。
【００２７】
本実施形態におけるパーソナルコンピュータ１０では、位置調整プログラム１１２ｃによって、ユーザが映像を視認している位置（メガネ）の位置を検出し、正しい位置で３Ｄ映像を見ていないと判別された場合には、最適な位置に移動するようユーザを促すためのメッセージを出力させることができる。
【００２８】
なお、本実施形態における映像表示装置（パーソナルコンピュータ１０）は、液晶シャッターメガネを利用する時分割表示方式により３Ｄ映像を表示するものに限定されない。すなわち、メガネを装着して３Ｄ映像を見る際に、最適位置からずれている場合に３Ｄ映像の品質が低下する方式を利用する映像表示装置であれば良い。
【００２９】
図３は、本実施形態における３Ｄメガネ登録処理を示すフローチャートである。３Ｄメガネ登録処理では、後述する位置調整処理においてユーザが使用するメガネを画像中から検出する処理を容易にすると共に、ユーザが３Ｄ映像を見る環境に応じた最適位置（基準位置）を設定するための処理である。
【００３０】
ＣＰＵ１１１は、位置調整プログラム１１２ｃが起動されると３Ｄメガネ登録処理を開始する。ユーザは、３Ｄ映像コンテンツの視聴に使用するメガネを装着して、ＬＣＤ１７に表示される３Ｄ映像が最も良い状態で見える位置に移動した後、例えばキーボード１３に対する操作により画像撮影を指示する。
【００３１】
通常、３Ｄ映像が最も良い状態で見える位置は、ＬＣＤ１７の中心近傍に正対する位置となる。しかし、３Ｄ映像を視聴する時のディスプレイユニット１２の傾斜角度、パーソナルコンピュータ１０が設置された場所の環境（部屋の明るさなど）、ユーザが使用するメガネの性能、ユーザが好みとする表示状態の違いなどの理由により、最適位置が変動する可能性がある。そのため、実際に、ユーザが３Ｄ映像の表示状態が最適と感じる位置を３Ｄメガネ登録処理において登録できるようにしている。
【００３２】
図４は、３Ｄメガネ登録処理を実行する状況を示している。図４に示すように、３Ｄメガネ３０を装着しているユーザは、パーソナルコンピュータ１０のディスプレイユニット１２と正対する位置においても画像撮影を指示する。
【００３３】
ＣＰＵ１１１は、画像撮影が指示されるとカメラ２１を駆動して画像を撮影する（ステップＡ１）。カメラ２１により撮影された画像にはユーザが装着している３Ｄメガネ３０が含まれている。
【００３４】
ＣＰＵ１１１は、カメラ２１により撮影された画像から、３Ｄメガネ３０の形状（色を含んでも良い）と、画像中における位置を検出する（ステップＡ２）。
【００３５】
図５は、カメラ２１により撮影された画像中の３Ｄメガネ３０に該当する部分のみを示す図である。ユーザが使用する３Ｄメガネ３０に複数の種類があったとしても基本的な構成が共通しているため、既知の画像処理手法を用いて形状と位置を検出することができる。
【００３６】
また、ＣＰＵ１１１は、３Ｄメガネ３０に相当する画像領域に対して予め決められた位置を３Ｄメガネ３０の位置として検出する（ステップＡ３）。図５に示す例では、例えば、メガネの中央を含む所定範囲の領域Ａを３Ｄメガネ３０の画像中の位置として検出している。
【００３７】
ＣＰＵ１１１は、画像中から検出された最適位置Ａと３Ｄメガネ３０の形状を示すデータを、位置調整処理により利用されるデータとして記録する（ステップＡ４）。
【００３８】
ユーザは、画像の撮影を指示した時の位置が最適位置として問題なければ処理の終了を指示する。ＣＰＵ１１１は、ユーザからの指示に応じて、３Ｄメガネ登録処理を終了させる（ステップＡ５、Ｙｅｓ）。なお、再度、前述と同様にして、画像の撮影を指示して、３Ｄメガネ３０の形状と最適位置を再設定することもできる（ステップＡ５、Ｎｏ）。
【００３９】
なお、前述した３Ｄメガネ登録処理では、３Ｄメガネの形状と共に最適位置を設定しているが、最適位置が予め位置調整プログラム１１２ｃにより設定されている場合には、最適位置の登録を省略することも可能である。また、後述する位置調整プログラム１１２ｃによる位置調整処理により、ユーザ毎の３Ｄメガネ３０の登録をしなくても３Ｄメガネ３０の位置を検出することができれば、３Ｄ登録処理を省略することもできる。３Ｄ登録処理を実行するか否かは、ユーザが任意に決定できるものとする。
【００４０】
図６は、本実施形態における位置調整処理を示すフローチャートである。位置調整処理は、映像再生プログラム１１２ｂによる映像コンテンツの再生に伴って、位置調整プログラム１１２ｃにより実行される。  
映像再生プログラム１１２ｂにより映像コンテンツの再生が開始されると、ＣＰＵ１１１は、３Ｄメガネ３０の位置を確認するために、画像の撮影をする時間となったかを判別する。例えば、３Ｄメガネ３０の位置を確認するための撮影は一定時間毎に行うものとする（例えば、数分毎）。
【００４１】
撮影時間となった場合、ＣＰＵ１１１は、カメラ２１により画像を撮影する（ステップＢ３）。カメラ２１は、ディスプレイユニット１２（ＬＣＤ１７）に正対する方向の画像を撮影する。
【００４２】
ＣＰＵ１１１は、カメラ２１により撮影され画像から３Ｄメガネ３０の位置を検出する（ステップＢ４）。ここでは、３Ｄメガネ登録処理によって予め記録された３Ｄメガネ３０の形状を示すデータをもとに、画像中から３Ｄメガネ３０を認識して、３Ｄメガネ３０の位置を決定する。３Ｄメガネ登録処理によって事前に登録されたデータを用いることで、画像中から３Ｄメガネ３０を検出する検出精度を上げ、処理時間の短縮を図ることができる。また、３Ｄメガネ３０の位置は、図５に示すように、メガネの中央を含む所定範囲の領域とする。
【００４３】
ＣＰＵ１１１は、撮影された画像から検出された３Ｄメガネ３０の位置と、予め設定されている最適位置との差分（距離）を算出し（ステップＢ５）、この差分が予め決められた基準値より大きいかを判別する。
【００４４】
ここで、差分が基準値より大きくないと判別された場合（ステップＢ６、Ｎｏ）、ＣＰＵ１１１は、ユーザが最適位置において３Ｄ映像を見ていると判別して、メッセージの表示は行わない。
【００４５】
一方、差分が基準値より大きいと判別された場合（ステップＢ６、Ｙｅｓ）、ＣＰＵ１１１は、３Ｄメガネ３０の現在位置と最適位置（基準位置）との相対関係に応じたメッセージをＬＣＤ１７において表示させる（ステップＢ７）。
【００４６】
図７には、３Ｄメガネ３０を含む撮影された画像の一例を示している。図７に示す領域Ｂは、最適位置を示している。図７に示す例では、最適位置（領域Ｂ）に対して、３Ｄメガネ３０の領域が左側に位置している。従って、最適位置（領域Ｂ）と３Ｄメガネ３０との位置関係より、ユーザが左側に移動することで、最適位置に近づくものと判別することができる。
【００４７】
ＣＰＵ１１１は、３Ｄメガネ３０の現在位置と最適位置との相対関係に応じたメッセージを特定し、例えば図８に示すように、ＬＣＤ１７の表示領域の下部に設定されたメッセージウィンドウ１７ａにおいて表示させる。ここでは、例えば「左に移動すると最適な３Ｄ映像が楽しめます」のメッセージを表示する。
【００４８】
ユーザは、３Ｄ映像コンテンツの視聴中に位置を移動して、最適位置から外れてしまったとしても、ＬＣＤ１７に表示されたメッセージを確認して、再び、最適位置に戻ることができる。
【００４９】
なお、パーソナルコンピュータ１０（位置調整プログラム１１２ｃ）は、様々な、３Ｄメガネ３０の現在位置と最適位置との相対関係に応じたメッセージが用意されており、適宜、必要なメッセージが選択されて表示される。例えば、最適位置（基準位置）に対して、上下左右方向（さらには斜め方向）のそれぞれに対応するメッセージや、現在位置と最適位置との距離に応じたメッセージなどがある。距離に応じたメッセージは、例えばユーザが移動すべき概算の距離を撮影画像から算出して、この距離に応じて選択されるようにしても良い。
【００５０】
また、前述した説明では、現在位置と最適位置との相対関係に応じたメッセージを表示しているが、３Ｄメガネ３０の状態に応じたメッセージを表示するようにしても良い。例えば撮影画像から３Ｄメガネ３０の左右の傾きを検出し、この傾きに応じたメッセージを表示する。例えば、予め決められた基準値以上傾いていた場合には、「メガネを水平にすると最適な３Ｄ映像が楽しめます」などのメッセージを表示させる。なお、３Ｄメガネ３０の左右の傾きは、既存の画像処理により検出することができる。
【００５１】
このようにして、本実施形態におけるパーソナルコンピュータ１０では、３Ｄ映像コンテンツの再生中に最適位置を外れたとしても、ユーザに対してどのように位置を合わせれば良いかをメッセージによりガイドすることができる。これにより、ユーザは自分の感覚だけに頼って位置を調整する必要がなく、簡単に最適位置に移動して、良好な状態で３Ｄ映像を楽しむことができる。また、ユーザの位置に合わせて３Ｄ映像コンテンツに対する加工処理などをする必要もないため処理負担が軽くて済む。
【００５２】
なお、前述した位置調整処理では、映像再生プログラム１１２ｂによって３Ｄ映像コンテンツが再生されている間にメッセージを出力するとしているが、３Ｄ映像コンテンツの再生中にメッセージが表示されないように、コンテンツ再生前に位置調整処理を実行するようにしても良い。３Ｄ映像コンテンツの再生中には、メッセージの表示を停止する。これにより、３Ｄ映像コンテンツの再生中に、メッセージウィンドウ１７ａにより映像が隠されてしまうことを回避できる。
【００５３】
また、前述した説明では、３Ｄ登録処理によってユーザが使用するメガネの形状を事前に記録しておくものとしているが、位置調整処理において容易に検出可能な特徴的な３Ｄメガネ３０を使用することにより、３Ｄメガネ登録処理を省略することができる。例えば、使用中に点灯するＬＥＤを３Ｄメガネ３０に取り付け、このＬＥＤの位置や色などをもとに３Ｄメガネ３０を画像中から検出することができる。３Ｄメガネ３０に取り付けるＬＥＤは、１つでも良いし、２つ以上であっても良い。例えば、３Ｄメガネ３０の両端に２つのＬＥＤを設けることで、３Ｄメガネ３０の左右の傾きについても容易に検出することができる。
【００５４】
また、３Ｄメガネ３０にＬＥＤを取り付ける他に、画像処理によって３Ｄメガネ３０を容易に検出することが可能な、特徴的な形状や色によって３Ｄメガネ３０を構成すれば良い。
【００５５】
また、前述した説明では、３Ｄメガネの位置が最適位置から規定値以上離れている場合に、ＬＣＤ１７にメッセージを表示してユーザに注意を促しているが、他の出力形態によってユーザに通知するようにしても良い。例えば、パーソナルコンピュータ１０にＬＥＤなどの発光デバイスを設けて、３Ｄメガネの位置が最適位置から外れると点灯させて注意を促すようにする。これにより、ＬＣＤ１７に表示されている３Ｄ映像コンテンツの表示の妨げとなることがない。また、３Ｄメガネの位置が最適位置から外れた場合に、特定の音を出力してユーザに注意を促すようにしても良い。
【００５６】
また、前述した説明では、カメラ２１によって撮影された画像中から３Ｄメガネ３０の位置を検出するだけであったが、他のセンサを用いて３Ｄメガネ３０の位置を検出して、メッセージを出力するようにしても良い。例えば、パーソナルコンピュータ１０に深度センサを設けて、パーソナルコンピュータ１０（ＬＣＤ１７）から３Ｄメガネ３０までの距離を測定して、３Ｄ映像を見るための最適な位置にあるかを判別する。そして、その判別結果に応じたメッセージ、例えば「もう少し、画面から離れて視聴して下さい」のメッセージを表示する。なお、その他の種類のセンサを設けることも可能である。
【００５７】
また、前述した説明では、１つの３Ｄメガネ３０が使用される場合、すなわち１人のユーザが３Ｄ映像コンテンツを視聴する場合を例にして説明しているが、２人（あるいは３人以上）のユーザが同時に３Ｄ映像コンテンツを視聴する場合にも適用することができる。この場合、例えばユーザ操作によって２人での視聴することが指示されるものとする。パーソナルコンピュータ１０は、位置調整プログラム１１２ｃの処理において、現在位置と最適位置との差分に対する基準値を、１人のユーザが視聴する場合よりも大きくする。すなわち、２人で３Ｄ映像コンテンツを視聴する場合には、１人の場合よりも最適位置から外れやすいため、メッセージの表示を不要とする許容範囲を大きくして、メッセージが頻繁に表示されないようにする。また、複数の３Ｄメガネ３０について個々に現在位置と最適位置との差分を算出することにより、個々の３Ｄメガネ３０に対してメッセージを出力するようにしても良い。
【００５８】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００５９】
１０…パーソナルコンピュータ、２１…カメラ、１１２ｂ…映像再生アプリケーションプログラム、１１２ｃ…位置調整プログラム、１２５…ビデオプロセッサ。
【図１】
2011133832.tif 000003
【図２】
2011133832.tif 000004
【図３】
2011133832.tif 000005
【図４】
2011133832.tif 000006
【図５】
2011133832.tif 000007
【図６】
2011133832.tif 000008
【図７】
2011133832.tif 000009
【図８】
2011133832.tif 000010
【手続補正書】
【提出日】平成23年2月10日(2011.2.10)
【手続補正２】
【補正対象書類名】明細書
【補正対象項目名】０００１
【補正方法】変更
【補正の内容】
【０００１】
本発明は、３次元（３Ｄ）映像を表示することができるパーソナルコンピュータやテレビ装置などの映像表示装置、方法、及び位置判定装置に関する。
【手続補正３】
【補正対象書類名】明細書
【補正対象項目名】０００５
【補正方法】変更
【補正の内容】
【０００５】
本発明は上述の事情を考慮してなされたものであり、画像処理の負担が軽く、より簡易に最適な３Ｄ映像をユーザが見ることができる映像表示装置、方法、及び位置判定装置を提供することを目的とする。
【手続補正４】
【補正対象書類名】特許請求の範囲
【補正対象項目名】全文
【補正方法】変更
【補正の内容】
【特許請求の範囲】
【請求項１】
ディスプレイと、
前記ディスプレイの正面にあるメガネの画像を撮影するカメラと、
前記画像中の前記メガネの位置を検出する検出手段と、
前記検出手段により検出された位置と、予め決められた基準位置との相対関係を判別する判別手段と、
前記相対関係に応じたメッセージを前記ディスプレイにおいて表示させるメッセージ表示手段と
を具備したことを特徴とする映像表示装置。
【請求項２】
映像を前記ディスプレイにおいて表示させる映像表示手段をさらに具備し、
前記メッセージ表示手段は、前記映像が表示されている間に前記メッセージを表示することを特徴とする請求項１記載の映像表示装置。
【請求項３】
前記判別手段は、前記相対関係に基づいて前記画像中のメガネの傾きを検出し、
前記メッセージ表示手段は、前記傾きに応じたメッセージを表示することを特徴とする請求項１記載の映像表示装置。
【請求項４】
前記判別手段は、前記検出手段により検出された位置と前記基準位置との距離が、少なくとも基準距離離れているかを判別し、
前記メッセージ表示手段は、前記検出手段により検出された位置と前記基準位置との距離が少なくとも前記基準距離離れていることを前記判別手段が判別するのに応じてメッセージを表示することを特徴とする請求項１記載の映像表示装置。
【請求項５】
ユーザからの指定に基づいて前記基準距離を設定する基準距離設定手段をさらに具備したことを特徴とする請求項４記載の映像表示装置。
【請求項６】
ディスプレイの正面にあるメガネの画像中で検出されたメガネの位置と予め決められた基準位置との相対関係を判別し、
前記判別された相対関係に応じた出力を生成し、
前記判別がコンピュータプロセッサにより実行される方法。
【請求項７】
１つ以上のプロセッサが設けられた計算装置を有する位置判定装置であって、
前記計算装置は、
画像中で検出されたメガネの位置と予め決められた基準位置との相対関係を判別し、
前記判別された相対関係に応じた出力を生成するように構成され、
前記画像はディスプレイの正面のメガネのものである位置判定装置。